(57)【要約】【課題】一対のエアゾール缶１と、それ等両エアゾール缶抱持用の連結部材１１と、液体吐出用の通路部材２１と、主筒部材３１と、通路部材上端へ嵌合させる、ノズル付きのヘッド５１と、該ヘッドを覆いヘッド押下げ用のレバーを有して上記主筒部材上部の嵌合されたキャップ６１とで形成した液体噴出容器において、液体吐出路の洗浄が容易とした。【解決手段】上記通路部材２１から起立する第２嵌合筒２４とヘッドから垂下するノズル連通管５３との嵌合を、ステム２と通路部材の管状部２２左右から垂下する第１嵌合筒２３との嵌合よりも固く設けて連結部材１１からの主筒部材３１着脱でステムに対する第１嵌合筒２３が着脱可能とすると共に管状部２２から摘み板２８を垂下させて、連通管５３からの第２嵌合筒２４の引抜きが可能とした。【選択図】    図１
2005041510.tif 000002
【特許請求の範囲】
【請求項１】
左右一対をなすエアゾール缶１と、
それ等両エアゾール缶上端部へ嵌合させた連結部材１１と、
両エアゾール缶から起立するステム２の上端部へ、管状部２２左右から垂下する第１嵌合筒２３を嵌合させると共に、管状部中間から第２嵌合筒２４を起立する通路部材２１と、
上記連結部材の外面へ、周壁３３を着脱自在に嵌合させると共に、上板３２中央部を開口する主筒部材３１と、
上記第２嵌合筒２４と、上部から垂下させたノズル連通筒５３とを、これ等両筒のいずれかを開口３４ａ  に通して嵌合させたノズル付きヘッド５１と、
ノズル先端部を露出させてヘッド外面を覆い、周壁６２下部を主筒部材上板から起立する第３嵌合筒３５外面へ嵌合させ、又頂板を肉薄ヒンジ６４を介して後方突出するレバー６５に形成したキャップ６１とからなる、二重エアゾール式液体噴出容器において、
上記第２嵌合筒２４と連通筒５３との嵌合を、ステム２と第１嵌合筒２３との嵌合よりも固く設けて、連結部材１１に対する主筒部材３１の着脱で、ステムに対する第１嵌合筒の着脱が可能とすると共に、上記通路部材管状部２２から摘み板２８を垂下させて、該摘み板引出しで連通管５３からの第２嵌合筒２４の引抜きが可能に形成した
ことを特徴とする二重エアゾール式液体噴出容器。
【請求項２】
上記管状部２２を、下蓋部２５と上蓋部２６とを着脱可能に嵌合させて形成した
ことを特徴とする請求項１記載の二重エアゾール式液体噴出容器。
【請求項３】
上記ヘッド５１の頂板５４から垂下させた周壁５５の左右両部外面と、キャップ周壁６２の左右両部内面とに、互いに係合して定位置でヘッド５１を上下動させる凹凸の係合手段を設けた
ことを特徴とする請求項１又は２記載の二重エアゾール式液体噴出容器。
【請求項４】
上記連結部材１１が有する連結板１３下端の前後両縁から、上部外面に係合突条１５、１５を有する第１板バネ１６、１６を起立させると共に、主筒部材周壁の前後両壁に穿設した開口３６の上縁から該開口内へ第２板バネ３７を垂下させて、連結部材１１外面へ主筒部材を嵌合させたとき、上記係合突条１５が開口３６下縁へ係合し、該状態からの第２板バネ内方押込みで第１板バネも共に押込みされて、係合突条１５が開口下縁から離脱可能に形成した
ことを特徴とする、請求項１、２又は３記載の二重エアゾール式液体噴出容器。
【発明の詳細な説明】
【０００１】
【発明の属する技術分野】
本発明は二重エアゾール式液体噴出容器に関する。
【０００２】
【従来の技術】
左右一対をなすエアゾール缶と、それ等両エアゾール缶の上端部へ嵌合させて両エアゾール缶を連結する連結部材と、両エアゾール缶上面から起立するステムの上端部へ、管状部左右から垂下する第１嵌合筒を嵌合させると共に管状部中間から第２嵌合筒を起立する通路部材と、上記連結部材の外面へ、上板外周から垂下する周壁を着脱自在に嵌合させると共に上板中央部を開口する主筒部材と、上記第２嵌合筒へ、ノズル基端から垂下する連通筒を嵌合させたヘッドと、ノズル先端部を周壁前部の窓口から露出させてヘッド外面を覆い、周壁下部を主筒部材上板から起立する短筒外面へ嵌合させ、又頂板を肉薄ヒンジを介して後方突出するレバーに形成したキャップとからなり、レバー後部の押下げで、ヘッドを介して通路部材とステムとが押下げられてエアゾール缶内液体が噴出可能に形成した二重エアゾール式液体噴出容器がある（特許文献１）。
【０００３】
【特許文献１】
特願２００２−３４８９５８号明細書
【０００４】
【発明が解決しようとする課題】
上記液体噴出容器は、毛染液、整髪剤等の噴出容器として使用するが、その噴出液乾燥により目塞りするおそれがあり、よってその洗浄が容易であることが必要となる。
【０００５】
本発明はその洗浄を容易に行えるよう設けたものである。
【０００６】
【課題を解決するための手段】
第１の手段として左右一対をなすエアゾール缶１と、
それ等両エアゾール缶上端部へ嵌合させた連結部材１１と、
両エアゾール缶から起立するステム２の上端部へ、管状部２２左右から垂下する第１嵌合筒２３を嵌合させると共に、管状部中間から第２嵌合筒２４を起立する通路部材２１と、
上記連結部材の外面へ、周壁３３を着脱自在に嵌合させると共に、上板３２中央部を開口する主筒部材３１と、
上記第２嵌合筒２４と、上部から垂下させたノズル連通筒５３とを、これ等両筒のいずれかを開口３４ａ  に通して嵌合させたノズル付きヘッド５１と、
ノズル先端部を露出させてヘッド外面を覆い、周壁６２下部を主筒部材上板から起立する第３嵌合筒３５外面へ嵌合させ、又頂板を肉薄ヒンジ６４を介して後方突出するレバー６５に形成したキャップ６１とからなる、二重エアゾール式液体噴出容器において、
上記第２嵌合筒２４と連通筒５３との嵌合を、ステム２と第１嵌合筒２３との嵌合よりも固く設けて、連結部材１１に対する主筒部材３１の着脱で、ステムに対する第１嵌合筒の着脱が可能とすると共に、上記通路部材管状部２２から摘み板２８を垂下させて、該摘み板引出しで連通管５３からの第２嵌合筒２４の引抜きが可能に形成した。
【０００７】
第２の手段として、上記第１の手段を有すると共に上記管状部２２を、下蓋部２５と上蓋部２６とを着脱可能に嵌合させて形成した。
【０００８】
第３の手段として、上記第１又は第２の手段を有すると共に上記ヘッド５１の頂板５４から垂下させた周壁５５の左右両部外面と、キャップ周壁６２の左右両部内面とに、互いに係合して定位置でヘッド５１を上下動させる凹凸の係合手段を設けた。
【０００９】
第４の手段として、上記第１、第２、又は第３の手段を有すると共に上記連結部材１１が有する連結板１３下端の前後両縁から、上部外面に係合突条１５、１５を有する第１板バネ１６、１６を起立させると共に、主筒部材周壁の前後両壁に穿設した開口３６の上縁から該開口内へ第２板バネ３７を垂下させて、連結部材１１外面へ主筒部材を嵌合させたとき、上記係合突条１５が開口３６下縁へ係合し、該状態からの第２板バネ内方押込みで第１板バネも共に押込みされて、係合突条１５が開口下縁から離脱可能に形成した。
【００１０】
【発明の実施の形態】
本発明の液体噴出容器は、一対のエアゾール缶と、連結部材と、通路部材と、主筒部材と、ヘッドとキャップとからなる。
【００１１】
エアゾール缶１は同一大きさ、同一形状の公知のエアゾール缶を左右一対として用いる。２はエアゾール缶の頂板中央から上方付勢されて起立するステムで、付勢に抗して押下げされると缶内液体が噴出する。エアゾール缶上部は小径化されている。
【００１２】
上記両エアゾール缶の上端部へは連結部材１１を嵌合させている。該連結部材は図３で示すように上方からみて左右のエアゾール缶嵌合用筒１２を連結板１３で連結した形状であり、それ等嵌合用筒１２の上下方向中間部にはストッパ１４が付勢してあり、それ等ストッパ下方筒部分をエアゾール缶の上部外面へ嵌合可能に設けている連結板１３は前後方向への上板の前後から前後両板を垂下し、かつそれ等両板下端から前後方向へ張出し板を突出し、更にそれ等張出し板先端から上部外面に係合突条１５を横設した第１板バネ１６を起立させている。上記上板の左右両側は嵌合用筒１２の中間部外面へ、又前後両板および張出し板の左右両側は上記中間部よりも下方の嵌合用筒部分外面へ、それぞれ連結させている。
【００１３】
上板の前後方向長さは嵌合用筒１２の直径よりも短かく、張出し板先端間の長さは嵌合用筒直径とほぼ等しく設けてあり、上方からみた状態で第１板バネ１６は、両嵌合用筒１２の前面相互と後面相互とを結ぶ両直線上に位置するよう設けている。
【００１４】
通路部材２１は、管状部２２の左右両側部下面からステム２の上端部外面へ嵌合させる第１嵌合筒２３を垂下し又管状部左右方向中間部から第２嵌合筒２４を起立する。管状部２２は図４が示すように、下蓋部２５と上蓋部２６とをそれ等の前後いずれかの側部でヒンジ連結させて形成しており、第１嵌合筒２３は下蓋部から、第２嵌合筒２４は上蓋部２６から、それぞれ突出させており、それ等上下蓋部嵌合により下蓋部周壁は上蓋部の周壁内面へ嵌合され、それ等上下蓋部間に形成された空間を通って上記第１、第２嵌合筒は連通する。下蓋部底板のヒンジと対向する側からは、連結板を介してフック２７を起立させており、それ等上下蓋部閉塞時にフック２７の突部が上蓋部前壁へ付設した突部上面へ係合して開閉蓋できるよう設けている。尚下蓋部の左右方向中間部下面からは摘み板２８を垂下させ、図１のようにステム２上端へ第１嵌合筒２３を嵌合させたとき、摘み板２８は連結板１３上板に穿設した透孔１７から垂下するよう設けている。尚第２嵌合筒２４上部は上向き段部を介して小外径筒２４ａに形成している。
【００１５】
主筒部材３１は、上板３２外周から、連結部材の外面へ嵌合させる周壁３３を垂下すると共に上板中央部を開口して該開口３４の周縁から、既述第２嵌合筒２４を遊挿させるガイド筒３４を起立し、又該ガイド筒を囲んで上板３２からキャップ嵌合用の第３嵌合筒３５を起立する。
【００１６】
上記周壁３３の前後両壁の左右方向中間部には開口３６を穿設し、これ等開口上縁からは第２板バネ３７を垂下する。図１が示すように主筒部材３１を連結部材１１外面へ嵌合させたとき、開口３６の下縁と第２板バネ３７下端との間へ係合突条１５が嵌合し、開口下縁へ係合するよう設けてあり、該嵌合状態から第２板バネ３７を内方へ押込むと、第１板バネ１６上部が共に内方へ押込まれることで、係合突条１５は開口下縁から外れて主筒部材３１の取外しが可能となる。尚上板３２下面からは図２のようにストッパ３８が垂下させてあって該主筒部材嵌合時に連結部材嵌合用筒１２の上端がストッパ３８下端面に接して停止したとき、係合突条１５が開口３６下縁へ係合する。
【００１７】
第３嵌合筒３５の前後外面へはキャップ係合用の突条３９が横設させてあり、又第３嵌合筒の左右壁部は上方からみて外面が凸条でかつ内面が溝に形成している。その凸条４０はキャップ嵌合用で、溝４１はヘッド案内用である。
【００１８】
５１はヘッドで、ノズル５２基端から該ノズルと連通する連通筒５３を垂下させると共にノズルの基部上面を拡開して頂板５４とし、又ノズル下面の前後方向中間部からは下前方へ弯曲し、かつ下方へ垂下する壁部を設け、頂板５４から垂下させた壁部と共に周壁５５を形成している。尚頂板後部は斜下後方へ傾斜させている。周壁５５の左右壁部の下部外面には突条５６を縦設して周壁５５を第３嵌合筒３５の内面へ嵌合させたとき、既述溝４１内を上下動可能とし、上記連通筒５３は第２嵌合筒上部の小外径筒２４ａ  外面へ嵌合する。又頂板５４の左右両部外縁からは係合突部５７を外方へ突出させている。尚上記連通筒５３および周壁５５を除く部分がノズル付き頭部を形成する。
【００１９】
６１はキャップで、既述主筒部材３１の第３嵌合筒３５外面へ周壁６２下部を嵌合させ、該下部を除いた周壁前部を上端まで、左右側方からみて図１のように大きく凹状に形成し、該凹部壁面へ大きく窓口６３を開口させて該窓口上部からノズル５２前部を前方へ露出させている。又窓口上方の周壁前部の後面からは、肉薄ヒンジ６４を介してレバー６５を後方へ突出させており、該レバー下面前後方向へ、図１のように下面を弧状面とした当接板６６を付設し、該当接板下面をヘッド５１の頂板５４へ載置させている。周壁下部の左右側部内面へは、図３が示すように主筒部材３１の凸条４０を嵌合させる凹溝６７を穿設し、又周壁上部の左右側部内面へはヘッド５１の係合突部５７後面へ係合させる突条６８を縦設させている。該突条は第３嵌合筒３５に対するキャップ６１の逆向きセットを防止するためのもので、逆向きの場合は、突条６８下端がヘッドの係合突部５７上面へ当ることでその嵌合が不能となる。周壁６２の上方後部はレバー６５操作の便宜のために大きく切欠いている。
【００２０】
図１、図２が示すように、既述通路部材２１とヘッド５１とノズル５２との各左右方向中間部には仕切板７１を設けて左右エアゾール缶から吐出された液体がノズル先端部内までは仕切板７１左右の通路を通って混合しないよう設けているが、該仕切板は必要に応じて設ければよい。
【００２１】
既述構成において、レバー６５を押下げすると、ヘッド５１を介して通路部材２１とステム２が押下げられ、するとステム下端の吐出弁が開いてそれ等ステム、通路部材、ノズルを通って液体が噴出し、レバーを離すと上方付勢されているステムが通路部材、ヘッドを押上げて共に上昇し、該上昇によりステム下端の吐出弁が閉じて液体噴出は停止する。
【００２２】
既述各部材のうち、エアゾール缶１と連結部材１１と通路部材２１と主筒部材３１とは、前後両側面のうちのいずれの面を前方へ位置させた状態ででも組付け可能としている。そのため、第１、第２板バネ１６，３７  は前後方向側壁の左右方向中間部に設け、又第２嵌合筒２４、ガイド筒３４、第３嵌合筒３５は左右方向中間部から起立させている。
【００２３】
上記各部材の組付けは次のように行えばよい。まず、左右一対として胴部を接し並べたエアゾール缶上部へ連結部材１１を嵌合させる。又別に通路部材２１を主筒部材３１内へ入れて第２嵌合筒２４上部の小外径筒をガイド筒３４内へ挿入させる。該状態から第２嵌合筒２４の上部外面へヘッド５１の連通筒５３を嵌合させると共に該ヘッドの周壁５５下部を主筒部材の第３嵌合筒３５内面へ嵌合させる。更にノズル５２を窓口６３内へ位置させてキャップ６１の周壁６２下部を第３嵌合筒３５外面へ嵌合させ、このように上記４部材を一体的に組付けた後、主筒部材周壁３３を連結部材１１周壁外面へ嵌合させて第１板バネ１６の係合突条１５を開口３６下縁へ係合させる。ステム２上端部に対する第１嵌合筒２３の嵌合は、連結部材１１に対する主筒部材３１の嵌合により同時に行うことが出来る。
【００２４】
上記組付け状態から第２板バネ３７を内方押込みすると、第１板バネ１６が共に内方押込みされて係合突条１５が開口下縁から外れ、よって主筒部材、通路部材、ヘッド、キャップを共に外すことが出来、該状態から摘み板２８を下方へ引くことで、通路部材をヘッド５１から外すことが出来る。よって該分離状態で通路部材２１、ヘッド５１の各液体通路を容易に洗浄することが出来る。
【００２５】
【発明の効果】
本発明は既述構成とするもので、請求項１記載のようにすることで、エアゾール缶内液体が無くなった後は、一体的に組付けられている主筒部材、通路部材、ヘッド、キャップの４部材を共に外して連結部材付きの新たなエアゾール缶へ取付け出来るから、それ等４部材の再使用が可能となる便利があり、又それ等４  部材を予め一体的に組付けた状態で管理することで、容器全体の組付けを迅速に行うことが出来る。更に通路部材２１およびヘッド５１が有するそれぞれの液体通路の洗浄が容易となる。
【００２６】
請求項２のようにすることで、通路部材の管状部２２内の洗浄が容易となる。
【００２７】
請求項３のようにすることで、ヘッド５１はキャップ周壁内の予め定められた位置でだけ上下動することとなり、よって主筒部材３１を外し、かつ該主筒部材下部内から通路部材２１を外した状態から、該通路部材の第２嵌合筒２４を、開口３４ａ  を介してヘッドの連通筒５３へ嵌合させることが容易となる。
【００２８】
請求項４のようにすることで、連結部材１１に対する主筒部材３１の着脱が極めて容易となる。
【図面の簡単な説明】
【図１】本発明容器の縦断面図である。
【図２】図１容器を前方からみた半断面図である。
【図３】容器体を除く各部材の分解斜視図である。
【図４】主要部材の下部を開き、かつ下方からみた斜視図である。
【符号の説明】
１…エアゾール缶              ２…ステム
１１…連結部材                  ２１…通路部材
３１…主筒部材                  ５１…ヘッド
６１…キャップ
【図１】
2005041510.tif 000003
【図２】
2005041510.tif 000004
【図３】
2005041510.tif 000005
【図４】
2005041510.tif 000006